(57)【特許請求の範囲】
【請求項１】
光の出射面に平行な面内で光を導く導光板
を備え、
前記導光板は、
第１領域に設けられ、前記導光板によって導かれている光が入射し、空間上の１つの収束点又は収束線に実質的に収束する又は空間上の１つの収束点又は収束線から実質的に発散する方向の出射光を前記出射面から出射させる光学面をそれぞれ有する複数の第１の光収束部と、
前記導光板の導光方向に沿って前記第１領域とは異なる第２領域に設けられ、前記導光板によって導かれている光が入射し、空間上の１つの収束点又は収束線に実質的に収束する又は空間上の１つの収束点又は収束線から実質的に発散する方向の出射光を前記出射面から出射させる光学面をそれぞれ有する複数の第２の光収束部と
を有し、
前記収束点又は収束線は前記複数の第１の光収束部の間で互いに異なり、前記複数の第１の光収束部による複数の前記収束点又は収束線の集まりによって、空間上に第１の像が形成され、
前記収束点又は収束線は前記複数の第２の光収束部の間で互いに異なり、前記複数の第２の光収束部による複数の前記収束点又は収束線の集まりによって、空間上に第２の像が形成され、
前記複数の第１の光収束部のそれぞれによる出射光が前記出射面に対してなす角度は、前記導光板の導光方向に平行であり前記出射面に垂直な面に投影した場合に、第１の角度であり、
前記複数の第２の光収束部のそれぞれによる出射光が前記出射面に対してなす角度は、前記導光板の導光方向に平行であり前記出射面に垂直な面に投影した場合に、前記第１の角度とは異なる第２の角度である
光デバイス。
【請求項２】
光の出射面に平行な面内で光を導く導光板
を備え、
前記導光板は、
第１領域に設けられ、前記導光板によって導かれている光が入射し、空間上の１つの収束点又は収束線に実質的に収束する又は空間上の１つの収束点又は収束線から実質的に発散する方向の出射光を前記出射面から出射させる光学面をそれぞれ有する複数の第１の光収束部と、
前記導光板の導光方向に沿って前記第１領域とは異なる第２領域に設けられ、前記導光板によって導かれている光が入射し、空間上の１つの収束点又は収束線に実質的に収束する又は空間上の１つの収束点又は収束線から実質的に発散する方向の出射光を前記出射面から出射させる光学面をそれぞれ有する複数の第２の光収束部と
を有し、
前記収束点又は収束線は前記複数の第１の光収束部の間で互いに異なり、前記複数の第１の光収束部による複数の前記収束点又は収束線の集まりによって、空間上に第１の像が形成され、
前記収束点又は収束線は前記複数の第２の光収束部の間で互いに異なり、前記複数の第２の光収束部による複数の前記収束点又は収束線の集まりによって、空間上に第２の像が形成され、
前記複数の第１の光収束部のそれぞれによる出射光を構成する複数の光線が前記出射面に対してなす角度の最大値は、第１の角度であり、
前記複数の第２の光収束部のそれぞれによる出射光を構成する複数の光線が前記出射面に対してなす角度の最大値は、前記第１の角度とは異なる第２の角度である
光デバイス。
【請求項３】
前記導光板の前記第２領域は、前記導光板の前記第１領域に対して、前記第１の角度と前記第２の角度との差の角度差をなして設けられる
請求項１又は２に記載の光デバイス。
【請求項４】
前記導光板の前記第２領域は、前記導光板の前記第１領域に対して、前記第１の角度と前記第２の角度との差の角度をなして設けられた場合に、前記第２の像は前記第１の像に連続する位置に形成される
請求項１から３のいずれか一項に記載の光デバイス。
【請求項５】
前記複数の第１の光収束部及び前記複数の第２の光収束部がそれぞれ有する前記光学面は、入射した光を反射する反射面であり、
前記複数の第１の光収束部のそれぞれが有する反射面と、前記複数の第２の光収束部のそれぞれが有する反射面との角度差は、前記第１の角度と前記第２の角度との差に略一致する
請求項１から４のいずれか１項に記載の光デバイス。
【請求項６】
前記複数の第１の光収束部及び前記複数の第２の光収束部がそれぞれ有する前記光学面は、入射した光を反射する反射面であり、
前記複数の第１の光収束部のそれぞれが有する反射面と、前記複数の第２の光収束部のそれぞれが有する反射面との角度差は、前記第１領域が載置される面と、前記第２領域が載置される面との角度差に略一致する
請求項１から５のいずれか１項に記載の光デバイス。
【請求項７】
前記複数の第１の光収束部がそれぞれ有する前記光学面の面積は、前記複数の第２の光収束部がそれぞれ有する前記光学面の面積は、前記複数の第１の光収束部及び前記複数の第２の光収束部からそれぞれ出射される光の光度が略同一になるように定められる
請求項１から６のいずれか１項に記載の光デバイス。
【請求項８】
前記複数の第１の光収束部及び前記複数の第２の光収束部は、前記出射面に平行な面内でそれぞれ予め定められた線に沿って形成されている
請求項１から７のいずれか１項に記載の光デバイス。
【請求項９】
請求項１から８のいずれか１項に記載の光デバイスと、
第１の面とは異なる第２の面に位置するユーザインタフェース部と
を備え、
前記第１領域は前記第１の面上に載置され、前記第２領域は前記第２の面上に載置される
光システム。
【請求項１０】
前記第１の像及び前記第２の像は、前記ユーザインタフェース部の位置をユーザに示す１つの像を形成する
請求項９に記載の光システム。
【請求項１１】
請求項９又は１０に記載の光システム
を備える改札機。
【発明の詳細な説明】
【技術分野】
【０００１】
本発明は、光デバイス、光システム及び改札機に関する。
【背景技術】
【０００２】
導光板と、光源と、導光板の表面側に配置した、パララックスバリア方式又はレンズアレイ方式におけるマスク又はレンズアレイとを備えた、立体視可能な表示装置が知られている（例えば、特許文献１参照。）。
特許文献１  特開２０１２−００８４６４号公報
【発明の概要】
【発明が解決しようとする課題】
【０００３】
導光板の出射面が領域毎に角度差がある場合、望ましい像を形成できない場合がある。
【課題を解決するための手段】
【０００４】
第１の態様においては、光デバイスは、光の出射面に平行な面内で光を導く導光板を備え、導光板は、第１領域に設けられ、導光板によって導かれている光が入射し、空間上の１つの収束点又は収束線に実質的に収束する又は空間上の１つの収束点又は収束線から実質的に発散する方向の出射光を出射面から出射させる光学面をそれぞれ有する複数の第１の光収束部と、導光板の導光方向に沿って第１領域とは異なる第２領域に設けられ、導光板によって導かれている光が入射し、空間上の１つの収束点又は収束線に実質的に収束する又は空間上の１つの収束点又は収束線から実質的に発散する方向の出射光を出射面から出射させる光学面をそれぞれ有する複数の第２の光収束部とを有する。収束点又は収束線は複数の第１の光収束部の間で互いに異なり、複数の第１の光収束部による複数の収束点又は収束線の集まりによって、空間上に第１の像が形成される。収束点又は収束線は複数の第２の光収束部の間で互いに異なり、複数の第２の光収束部による複数の収束点又は収束線の集まりによって、空間上に第２の像が形成される。複数の第１の光収束部のそれぞれによる出射光が出射面に対してなす角度は、導光板の導光方向に平行であり出射面に垂直な面に投影した場合に、第１の角度であり、複数の第２の光収束部のそれぞれによる出射光が出射面に対してなす角度は、導光板の導光方向に平行であり出射面に垂直な面に投影した場合に、第１の角度とは異なる第２の角度である。
【０００５】
第２の態様においては、光デバイスは、光の出射面に平行な面内で光を導く導光板を備え、導光板は、第１領域に設けられ、導光板によって導かれている光が入射し、空間上の１つの収束点又は収束線に実質的に収束する又は空間上の１つの収束点又は収束線から実質的に発散する方向の出射光を出射面から出射させる光学面をそれぞれ有する複数の第１の光収束部と、導光板の導光方向に沿って第１領域とは異なる第２領域に設けられ、導光板によって導かれている光が入射し、空間上の１つの収束点又は収束線に実質的に収束する又は空間上の１つの収束点又は収束線から実質的に発散する方向の出射光を出射面から出射させる光学面をそれぞれ有する複数の第２の光収束部とを有する。収束点又は収束線は複数の第１の光収束部の間で互いに異なり、複数の第１の光収束部による複数の収束点又は収束線の集まりによって、空間上に第１の像が形成される。収束点又は収束線は複数の第２の光収束部の間で互いに異なり、複数の第２の光収束部による複数の収束点又は収束線の集まりによって、空間上に第２の像が形成される。前複数の第１の光収束部のそれぞれによる出射光を構成する複数の光線が出射面に対してなす角度の最大値は、第１の角度であり、複数の第２の光収束部のそれぞれによる出射光を構成する複数の光線が出射面に対してなす角度の最大値は、第１の角度とは異なる第２の角度である。
【０００６】
導光板の第２の領域は、導光板の第１の領域に対して、第１の角度と第２の角度との差の角度差をなして設けられてよい。
【０００７】
導光板の第２の領域は、導光板の第１の領域に対して、第１の角度と第２の角度との差の角度をなして設けられた場合に、第２の像は第１の像に連続する位置に形成されてよい。
【０００８】
複数の第１の光収束部及び複数の第２の光収束部がそれぞれ有する光学面は、入射した光を反射する反射面であり、複数の第１の光収束部のそれぞれが有する反射面と、複数の第２の光収束部のそれぞれが有する反射面との角度差は、第１の角度と第２の角度との差に略一致してよい。
【０００９】
複数の第１の光収束部及び複数の第２の光収束部がそれぞれ有する光学面は、入射した光を反射する反射面であり、複数の第１の光収束部のそれぞれが有する反射面と、複数の第２の光収束部のそれぞれが有する反射面との角度差は、第１の領域が載置される面と、第２の領域が載置される面との角度差に略一致してよい。
【００１０】
複数の第１の光収束部がそれぞれ有する光学面の面積は、複数の第２の光収束部がそれぞれ有する光学面の面積は、複数の第１の光収束部及び複数の第２の光収束部からそれぞれ出射される光の光度が略同一になるように定められてよい。
【００１１】
複数の光収束部は、出射面に平行な面内でそれぞれ予め定められた線に沿って形成されていてよい。
【００１２】
第２の態様において、光システムは、上記の光デバイスと、第１の面とは異なる第２の面に位置するユーザインタフェース部とを備え、第１の領域は第１の面上に載置され、第２の領域は第２の面上に載置される。
【００１３】
第１の像及び第２の像は、ユーザインタフェース部の位置をユーザに示す１つの像を形成してよい。
【００１４】
第３の態様において、改札機は、上記の光システムを備える。
【００１５】
なお、上記の発明の概要は、本発明の特徴の全てを列挙したものではない。また、これらの特徴群のサブコンビネーションもまた、発明となりうる。
【図面の簡単な説明】
【００１６】
【図１】一実施形態における表示装置１０を、空間上に投影される立体像と共に概略的に示す。
【図２】表示装置１０の各領域が互いに角度差が無い状態で表示装置１０が形成する像を概略的に示す。
【図３】領域８２が領域８１に対して予め定められた角度差βを持つ状態で表示装置１０が形成する像を概略的に示す。
【図４】表示装置１０の領域８１及び領域８２を拡大して示す。
【図５】表示装置１０を改札機に利用した場合の利用例を概略的に示す。
【図６】光収束部３０の変形例としての光収束部１３０及び光収束部１３２を概略的に示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、一実施形態における表示装置１０を、空間上に投影される立体像と共に概略的に示す。なお、分かり易く説明することを目的として、実施形態の説明に用いる図は概略的又は模式的なものとする。実施形態の説明に用いる図は、実際のスケールで描かれていない場合がある。
【００１９】
表示装置１０は、光を出射する出射面７１を有する。表示装置１０は、出射面７１から出射する光によって、立体像としての像６を形成する。像６は、ユーザによって空間上に認識される立体像である。なお、立体像とは、表示装置１０の出射面７１とは異なる位置にあるように認識される像をいう。立体像とは、例えば、表示装置１０の出射面７１から離れた位置に認識される２次元像も含む。つまり、立体像とは、立体的な形状として認識される像だけでなく、表示装置１０の表示面上とは異なる位置に認識される２次元的な形状の像も含む概念である。
【００２０】
表示装置１０は、導光板７０と、光源２０とを備える。導光板７０は、透明で屈折率が比較的に高い樹脂材料で成形される。導光板７０を形成する材料は、例えばポリカーボネート樹脂（ＰＣ）、ポリメチルメタクリレート樹脂（ＰＭＭＡ）、ガラス等であってよい。導光板７０を形成する材料は、フレキシブルな材料であってよい。
【００２１】
導光板７０は、出射面７１とは反対側の背面７２とを有する。また、導光板７０は、導光板７０の四方の端面である端面７３、端面７４、端面７５及び端面７６を有する。端面７３は、導光板７０の入光端面である。端面７３には光源２０が設けられ、光源２０からの光は、端面７３から導光板７０に入射する。端面７４は、端面７３とは反対側の面である。端面７６は、端面７５とは反対側の面である。導光板７０は、光源２０からの光を出射面７１に平行な面内で面状に広げて導く。
【００２２】
なお、実施形態の説明において、ｘ軸、ｙ軸及びｚ軸の右手系の直交座標系を用いる場合がある。ｚ軸方向を、出射面７１に垂直な方向で定める。背面７２から出射面７１への向きをｚ軸プラス方向と定める。また、ｙ軸方向を、端面７３に垂直な方向で定める。端面７３から端面７４への向きをｙ軸プラス方向と定める。ｘ軸は、端面７５及び端面７６に垂直な方向であり、端面７５から端面７６への向きをｘ軸プラス方向と定める。なお、記載が冗長にならないよう、ｘｙ平面に平行な面のことをｘｙ面、ｙｚ平面に平行な面のことをｙｚ面、ｘｚ平面に平行な面のことをｘｚ面と呼ぶ場合がある。
【００２３】
導光板７０の背面７２には、光収束部３０ａ、光収束部３０ｂ及び光収束部３０ｃを含む複数の光収束部３０が形成されている。光収束部３０はｘ軸方向に実質的に連続して形成されている。具体的には、光収束部３０ａは、線１９０ａに沿って形成されている。光収束部３０ｂは、線１９０ｂに沿って形成されている。光収束部３０ｃは、線１９０ｃに沿って形成されている。ここで、線１９０ａ、線１９０ｂ及び線１９０ｃは、ｘ軸に略平行な直線である。任意の光収束部３０は、ｘ軸に略平行な直線に沿って実質的に連続的に形成される。各光収束部３０のｘ軸方向の各位置には、導光板７０によって導かれている光が入射する。
【００２４】
光収束部３０は、光収束部３０の各位置に入射した光を、光収束部３０にそれぞれ対応する定点に実質的に収束させる。図１には、光収束部３０の一部として、光収束部３０ａ、光収束部３０ｂ及び光収束部３０ｃが特に示され、光収束部３０ａ、光収束部３０ｂ及び光収束部３０ｃのそれぞれにおいて、光収束部３０ａ、光収束部３０ｂ及び光収束部３０ｃのそれぞれから出射された複数の光線が収束する様子が示されている。
【００２５】
具体的には、光収束部３０ａは、像６上の定点ＰＡに対応する。光収束部３０ａの各位置からの光線は、定点ＰＡに収束する。したがって、光収束部３０ａからの光の波面は、定点ＰＡから発するような光の波面となる。光収束部３０ｂは、像６上の定点ＰＢに対応する。光収束部３０ｂからの各位置からの光線は、定点ＰＢに収束する。このように、任意の光収束部３０の各位置からの光線は、光収束部３０に対応する定点に実質的に収束する。これにより、任意の光収束部３０によって、対応する定点から光が発するような光の波面を提供できる。各光収束部３０が対応する定点は互いに異なり、光収束部３０にそれぞれ対応する複数の定点の集まりによって、空間上に認識される像６が形成される。このようにして、表示装置１０は空間上に立体像を投影する。なお、一例として、像６は、線で描かれる像であり、像６を描く線は、光収束部３０にそれぞれ対応する複数の定点の集まりによって実質的に形成される。
【００２６】
本実施形態において、光収束部３０のそれぞれは、ｘ軸方向に実質的に連続して形成された多数の反射面を含む。任意の光収束部３０がそれぞれの有する反射面の反射光は、光収束部３０に対応する定点に収束する。例えば、光収束部３０ａが有する複数の反射面のそれぞれによる複数の反射光の光線は、定点ＰＡに収束する。また、光収束部３０ｂが有する複数の反射面のそれぞれによる複数の反射光の光線は、定点ＰＢに収束する。また、光収束部３０ｃが有する複数の反射面のそれぞれによる複数の反射光の光線は、定点ＰＣに収束する。
【００２７】
ｘｙ面内において、導光板７０によって導かれて導光板７０内の各位置を通過する光束は、導光板７０内の各位置と光源とを結ぶ方向を中心として、所定値より小さい広がり角を持つ。光収束部３０が光源から離れた位置に設けられている場合、導光板７０によって導かれて光収束部３０に入射する光は、概ねｙ軸方向を中心とする広がりの小さい光になる。したがって、例えば定点ＰＡを含みｘｚ平面に平行な面では、光収束部３０ａからの光は実質的に１つの定点に収束する。なお、本明細書において、導光板内外の点を通過する光束の広がりとは、当該光束がその点から発散する光とみなした場合の光の広がりのことをいう。また、導光板内外の点を通過する光束の広がりのことを、単に光の広がりと呼ぶ場合がある。
【００２８】
なお、光収束部３０に入射する光にｚ方向に広がりがある場合、光収束部３０からの光は、空間上の定点を含む、ｙ軸に沿う線上に収束する。しかし、実施形態を分かり易く説明することを目的として、ｘｚ面内における光の収束に注目し、光収束部３０からの光が定点に収束するとして説明する場合がある。
【００２９】
このように、光収束部３０は、出射面７１に平行な面内でそれぞれ予め定められた線に沿って形成されている。そして、光収束部３０のそれぞれは、導光板７０によって導かれている光が入射し、空間上の１つの収束点に実質的に収束する方向の出射光を出射面７１から出射させる。なお、定点が導光板７０の背面７２側の場合は、出射光は、定点から発散する方向の光となる。したがって、定点が導光板７０の背面７２側の場合、光収束部３０が有する反射面は、空間上の１つの収束点から実質的に発散する方向の出射光を出射面７１から出射させる。なお、後述するように、光収束部３０は、それぞれフレネルレンズの一部により形成されてよい。
【００３０】
表示装置１０は、出射面７１及び背面７２の角度差がある状態で使用される。例えば、導光板７０の領域８１は、領域８２に対して０より大きい角度差がある。また、導光板７０の領域８２は、領域８３に対して０より大きい角度差がある。領域８１、領域８２及び領域８３は、導光板７０が光を導光する導光方向に異なる位置の領域である。領域８１は領域８２に隣接し、領域８２は領域８３に隣接する。光収束部３０ａは、領域８１に設けられる。光収束部３０ｂは、領域８２に設けられる。光収束部３０ｃは領域８３に設けられる。表示装置１０は、領域毎に角度差がある状態で使用された場合に望ましい像６を形成できるよう、光収束部３０の出射角が定められている。
【００３１】
図２は、表示装置１０の各領域が互いに角度差が無い状態で表示装置１０が形成する像を概略的に示す。図２では、領域８１及び領域８２の一部の光収束部３０のみを示す。なお、領域８１及び領域８２の一部の光収束部３０のみを示す。
【００３２】
領域８１には、光収束部３０ａ、光収束部３０ｄ及び光収束部３０ｅを含む複数の光収束部３０が設けられる。光収束部３０ａの出射光、光収束部３０ｄの出射光及び光収束部３０ｅの出射光はいずれも、出射面７１に対して角度αをなす。なお、角度αは、導光板７０の導光方向に平行であり出射面７１に垂直な面に投影した場合の角度である。また、角度αは、光収束部３０のそれぞれによる出射光を構成する複数の交線が出射面７１に対してなす角度の最大値でもある。領域８１に設けられている他の光収束部３０も同様に、出射光はいずれも出射面７１に対して角度αをなす。領域８１に設けられている光収束部３０の出射光は、像２０６ａを形成する。像２０６ａは、像６の部分像に対応する。
【００３３】
領域８２には、光収束部３０ｂ、光収束部３０ｆ及び光収束部３０ｇを含む複数の光収束部３０が設けられる。光収束部３０ｂの出射光、光収束部３０ｆの出射光及び光収束部３０ｇの出射光はいずれも、出射面７１に対して角度θをなす。なお、角度θは、導光板７０の導光方向に平行であり出射面７１に垂直な面に投影した場合の角度である。また、角度θは、光収束部３０による出射光を構成する複数の交線が出射面７１に対してなす角度の最大値でもある。領域８２に設けられている他の光収束部３０も同様に、出射光はいずれも出射面７１に対して角度θをなす。ここで、θは、αとは異なる。領域８２に設けられている光収束部３０の出射光は、像２０６ｂを形成する。像２０６ｂは、像６の部分像に対応する。
【００３４】
図２に示されるように、領域８１に設けられた光収束部３０の出射光による像２０６ａは、領域８２に設けられた光収束部３０の出射光による像２０６ｂとは連続していない。このように、領域８１と領域８２との間で、光収束部３０の出射角が不連続になっている。すなわち、領域８１と領域８２との間で、光収束部３０が有する反射面の角度が不連続になっている。そのため、表示装置１０の各領域が互いに角度差が無い状態では、領域８１に設けられた光収束部３０及び領域８２に設けられた光収束部３０は、連続した像を形成しない。
【００３５】
図３は、領域８２が領域８１に対して予め定められた角度差βを持つ状態で表示装置１０が形成する像を概略的に示す。図２に示されるように、領域８１に設けられた光収束部３０の出射光による像２０６ａは、領域８２に設けられた光収束部３０の出射光による像２０６ｂと繋がる。このように、領域８２が領域８１に対して予め定められた角度差βをなす場合に、像２０６ａ及び像２０６ｂが連続した像を形成するべく、領域８１に設けられた光収束部３０の出射角α及び領域８２に設けられた光収束部３０の出射角θが設計されている。
【００３６】
図４は、表示装置１０の領域８１及び領域８２を拡大して示す。図４に示されるように、領域８２に設けられた光収束部３０からの出射光の出射角θは、α−βに一致するように定められる。具体的には、領域８１に設けられた光収束部３０の反射面が背面７２となす角度をφ１とし、領域８２に設けられた光収束部３０の反射面が背面７２となす角度をφ２とすると、φ１とφ２との差がβに一致するように、領域８２に設ける光収束部３０の反射面の角度を定める。
【００３７】
なお、像６が一定の輝度を持つ場合、像２０６ａと像２０６ｂとの境界で輝度が不連続にならないようにする必要がある。そのため、領域８１に設けられる光収束部３０の反射面の面積と、領域８２に設けられる光収束部３０の反射面の面積は、光収束部３０からそれぞれ出射される光の光度が略同一になるように定められることが望ましい。例えば、光収束部３０からそれぞれ出射される光の光度が略同一になるよう、各光収束部３０の反射面の高さｈ又は反射面の幅ｗが、各光収束部３０の反射面と背面７２とがなす角度に基づいて定められてよい。領域８１に設けられた光収束部３０の高さｈ又は幅ｗは、互いに等しくてよい。また、領域８２に設けられた光収束部３０の高さｈ又は幅ｗは、互いに等しくてよい。しかし、各光収束部３０の反射面の高さｈ又は幅ｗは、領域８１に設けられた光収束部３０と領域８２に設けられた光収束部３０との間で異なってよい。
【００３８】
図５は、表示装置１０を改札機に利用した場合の利用例を概略的に示す。図５は、改札機システム７５０の全体を示す概略的な斜視図である。改札機システム７５０は、表示装置１０を備える光システムの一例である。
【００３９】
改札機システム７５０は、改札機本体７５２と、表示装置１０とを備える。改札機本体７５２は、通信部７０１と表示部７０２とを有する。通信部７０１及び表示部７０２は、ユーザインタフェース部の一例であり、ユーザと改札機本体７５２との間のインタフェースを提供する。
【００４０】
通信部７０１は、近接通信を利用して、ユーザが所持する非接触型通信デバイスと通信する。通信部７０１は、近接通信によって非接触型通信デバイスと通信する。非接触型通信デバイスとしては、ＩＣカード乗車券等のＩＣカード、非接触型通信機能を持つ携帯電話等を例示できる。表示部７０２は、ユーザに情報を表示する。例えば、表示部７０２は、非接触型通信デバイスに記憶されている電子マネーの残高等を表示する。
【００４１】
表示装置１０は、通信部７０１上に設けられる。表示装置１０による像６は、通信部７０１の位置をユーザに提示する。像６は、ユーザからは、通信部７０１の上方の空間に位置するように認識される。図５に示されるように、表示装置１０によれば、通信部７０１の上方の空間に認識される像６を形成できる。また、表示装置１０は全体として透明であるので、ユーザは、通信部７０１上のマークをユーザが視認することができる。
【００４２】
通信部７０１が設けられた面７８１は、面７８１に隣接する面７８２に対して角度差βをなす。また、面７８２は、面７８２に隣接する面７８３に対して角度差−βを有する。面７８１は、面７８３と角度差を有しない。ここで、表示装置１０は、導光板７０の領域８１が面７８１上に載置され、導光板７０の領域８２が面７８２上に載置され、導光板７０の領域８３が面７８３上に載置されるように、改札機本体７５２上に設置される。これにより、望ましい像６を通信部７０１上に形成できる。
【００４３】
なお、表示装置１０と同様の構成の表示装置を表示部７０２上に設けることによって、表示部７０２の位置をユーザに示す像を、表示部７０２上の空間に形成してもよい。
【００４４】
図６は、光収束部３０の変形例としての光収束部１３０及び光収束部１３２を概略的に示す。図６（ａ）は、フレネルレンズの一部により形成された１つの光収束部１３０を概略的に示す。なお、フレネルレンズとして機能する光収束部１３０の複数の屈折面（プリズム面）の間には、隙間が設けられてよい。
【００４５】
図６（ｂ）に示す光収束部１３２は、光収束部１３０を、ｘ軸方向に沿って複数の部分１４０ａ、部分１４０ｂ、部分１４０ｃ、部分１４０ｄ、部分１４０ｅ、部分１４０ｆ、部分１４０ｇ及び部分１４０ｈに分割したものに対応する。光収束部１３２の各部分１４０のそれぞれからの光は、同一の定点に収束する。このように、光収束部を複数の部分に分割することで、いわゆるブラックマトリックス効果が生じて、像のコントラストが高まる場合がある。なお、反射面やフレネルレンズの他に、光収束部３０として回折格子を用いてもよい。
【００４６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００４７】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００４８】
６  像
１０  表示装置
２０  光源
３０  光収束部
７０  導光板
７１  出射面
７２  背面
７３、７４、７５、７６  端面
１３０、１３２  光収束部
１４０  部分
１９０  線
７０１  通信部
７０２  表示部
７５０  改札機システム
７５２  改札機本体
【図１】
0006531583.tif 000002
【図２】
0006531583.tif 000003
【図３】
0006531583.tif 000004
【図４】
0006531583.tif 000005
【図５】
0006531583.tif 000006
【図６】
0006531583.tif 000007